(57)【要約】【課題】磯枯れ現象の進んだ沿岸域において有効で、しかも磯枯れ現象の解決にも貢献する海藻類造成礁およびこの海藻類造成礁を用いた藻場造成方法を提供する。【解決手段】複数の通水孔４を有するブロック本体１と、該ブロック本体１上に載置される、海藻類に栄養を供給する肥料溶出体２および海藻類が根付くための定着体３とを備えた構成とする。肥料溶出体２は藻場造成に必要なリン、窒素、ケイ酸、鉄、フミン質等を極少量ずつ長期間にわたって供給するように、ケイ砂、消化汚泥、水産加工廃水汚泥、木くずなどの肥料を原料として作られたレンガ、もしくは粒状固形物で構成されている。【選択図】        図１
2004159610.tif 000002
【特許請求の範囲】
【請求項１】
複数の通水孔を有するブロック本体と、該ブロック本体上に載置される、海藻類に栄養を供給する肥料溶出体および海藻類が根付くための定着体とを備えたことを特徴とする海藻類造成礁。
【請求項２】
前記通水孔は、海水の上昇流が生じるように前記ブロック本体に縦または斜めに設けられていることを特徴とする請求項１記載の海藻類造成礁。
【請求項３】
前記ブロック本体は、コンクリート製もしくは鉄筋コンクリート製もしくはレンガ製または鉄製であることを特徴とする請求項１または２記載の海藻類造成礁。
【請求項４】
前記ブロック本体の上部に前記肥料溶出体および定着体が積載され、底面に前記通水孔が開口する凹部を設けたことを特徴とする請求項１乃至３のいずれかに記載の海藻類造成礁。
【請求項５】
前記通水孔が、プラスチック、セラミック、または鉄からなる筒で形成されていることを特徴とする請求項１乃至４のいずれかに記載の海藻類造成礁。
【請求項６】
前記肥料溶出体は、ケイ砂、珪藻土、消化汚泥、水産加工廃水汚泥、および木くずなどの肥料を入れた通水性を有する袋体、あるいはケイ砂、珪藻土、汚泥、および木くずなどの肥料を原料として作られたブロックまたは粒状固形物で構成されていることを特徴とする請求項１乃至５のいずれかに記載の海藻類造成礁。
【請求項７】
前記汚泥は、下水処理場および／または水産加工場の汚泥を用いることを特徴とする請求項６記載の海藻類造成礁。
【請求項８】
前記ケイ砂の代わりに、廃ガラス、火成岩のうち一つ以上を含むことを特徴とする請求項６または７記載の海藻類造成礁。
【請求項９】
前記肥料溶出体は、さらに鉄くずを含むことを特徴とする請求項１乃至８のいずれかに記載の海藻類造成礁。
【請求項１０】
前記定着体は、海藻類の胞子および／または種子を植え付けた、無筋または鉄筋付きコンクリートくず、礫、岩、砂利、レンガのうち一つ以上を含むことを特徴とする請求項１乃至９のいずれかに記載の海藻類造成礁。
【請求項１１】
請求項１乃至１０のいずれかに記載の海藻類造成礁を補償深度よりも浅い所に沈設することを特徴とする藻場造成方法。
【発明の詳細な説明】
【０００１】
【発明の属する技術分野】
本発明は、磯枯れ等によって失われた藻場の造成に貢献する海藻類造成礁および藻場造成方法に関する。
【０００２】
【従来の技術】
ワカメ、昆布、テングサなどの海藻や、アラメ、カジメなどの海草はアワビ、ウニ、サザエ、その他多くの魚介類が繁殖するための温床（藻場）である。しかしながら、我が国の海岸線は土砂の流入等により、いわゆる磯枯れと称する海藻や海草（以下、これらを総称して「海藻類」という）が育ちにくい箇所（沿岸域）が多く目立ってきている。このような磯枯れ現象の進む沿岸域において、その改善のための様々な試み、提案がなされている。例えば、従来にあっては、鉄（酸化第二鉄）混入コンクリート、ゼオライト混入コンクリート、鉄製藻場造成床（魚礁）などを海底に沈設することによって行われてきた。また、コンクリート表面に凹凸を付ける方法などもある。さらにまた、特許文献１に示すような藻場造成型魚礁、あるいは特許文献２に示すような海藻養殖用ブロックなどが提案されている。
【０００３】
【特許文献１】
特開２０００−２７９０５１号公報（特許請求の範囲、段落［０００８］〜［００１９］、図１〜図８）
【特許文献２】
特開２００１−８６８８８号公報（特許請求の範囲、段落［０００８］〜［００１３］、図１〜図３）
【０００４】
【発明が解決しようとする課題】
しかしながら、これらの方法は、沿岸域の環境条件、生態系条件が比較的良好な場所でのみ有効なものであり、磯枯れ現象の進んだ沿岸域では役に立たず、海藻類の根付きや発育が悪いものであった。そのため、磯枯れ対策に効果のある解決法の出現が望まれていた。
【０００５】
本発明は、上記要望に応えるべくなされたものであり、特に磯枯れ現象の進んだ沿岸域において有効で、しかも磯枯れ現象の解決にも貢献する海藻類造成礁およびこの海藻類造成礁を用いた藻場造成方法を提供することを目的としている。
【０００６】
【課題を解決するための手段】
前記課題を解決するため、本発明の海藻類造成礁は、複数の通水孔を有するブロック本体と、該ブロック本体上に載置される、海藻類に栄養を供給する肥料溶出体および海藻類が根付くための定着体とを備えた構成とするものである。
【０００７】
本発明の海藻類造成礁において、ブロック本体に設けられた複数の通水孔は、海中の流れによる浮力を減じる緩衝作用と、肥料溶出体から溶出される栄養源の拡散を誘導し、ブロック本体上部に載置される海藻類が根付くための定着体および周辺の岩等への栄養濃度を高める。そのため、海藻類の成長に必要な栄養条件が整えられ、磯枯れ現象の進んだ沿岸域においてもワカメ、コンブ、アラメ等有用な藻場を造成する環境を創出する。
なお、本発明において、海藻類とは、ワカメ、昆布、テングサなどの海藻およびアラメ、カジメなどの海草の総称である。
【０００８】
また、上述のごとき作用を行わせるために、通水孔は、海水の上昇流が生じるようにブロック本体に縦または斜めに設けられている。
ブロック本体は、コンクリート製もしくは鉄筋コンクリート製もしくはレンガ製または鉄製としている。
また、肥料溶出体および定着体が海水の流れによって容易に落下しないようにするために、ブロック本体の上部には肥料溶出体および定着体が積載される凹部を設け、その凹部底面に通水孔が開口するように通水孔を設けている。なお、通水孔は、鉄分の供給用に鉄パイプで形成してもよい。また、プラスチックやセラミックのパイプで通水孔を形成してもよい。
【０００９】
また、肥料溶出体は、藻場造成に必要なリン、窒素、ケイ酸、珪藻土、鉄、フミン質等を極少量ずつ長期間にわたって供給するように、ケイ砂、消化汚泥、水産加工廃水汚泥、および木くずなどの肥料を入れた通水性を有する袋体、あるいはケイ砂、珪藻土、汚泥、および木くずなどの肥料を原料として作られたブロックまたは粒状固形物で構成されている。
ケイ砂は、ケイ酸の供給源であり、一般に多量に存在し、かつ海水中に含有するケイ酸濃度の１００倍もの濃度を有する。また、ケイ砂の代わりに、廃ガラス、火成岩のうち一つ以上を用いてもよい。
汚泥は、リン、窒素の供給源であり、下水処理場および／または水産加工場の汚泥を用いることにより、汚泥処理の新たな有効利用を図ることができる。
木くずは、フミン質の供給源であり、木のチップ、おがくず、木片等を含むものであり、これらも本発明により新たな有効利用を図ることができる。
鉄の供給は、釘、針金等の鉄くずをブロック本体の凹部内に投入してもよいし、肥料溶出体に含ませてもよい。また、ブロック本体を鉄製とすること、あるいは通水孔に鉄パイプを用いることによっても、鉄の供給を行うことができる。
【００１０】
定着体は、海藻類の胞子および／または種子を植え付けた、無筋または鉄筋付きコンクリートくず、礫、岩、砂利、レンガのうち一つ以上を含むものとする。中でも、コンクリートくずやレンガは廃材を利用することができ、海藻類は根付きやすい粗度を有しているので、本発明の海藻類造成礁には有効である。
【００１１】
また、本発明の藻場造成方法は、以上のように構成された海藻類造成礁を補償深度よりも浅い所に沈設するものである。すなわち、本発明の海藻類造成礁群を起点として磯枯れ環境が改善されていく。なお、本発明は磯枯れ現象の沿岸域に限定されるものでないことはいうまでもない。
【００１２】
【発明の実施の形態】
以下、本発明の実施の形態を図面を用いて説明する。図１は本発明の実施形態の一例を示す海藻類造成礁の断面図、図２はそのブロック本体の平面図である。また、図３は他の例を示す海藻類造成礁の断面図である。
この海藻類造成礁１０は、ブロック本体１と、海藻類に栄養を供給する肥料溶出体２と、海藻類が根付く定着体３とから構成されている。
ブロック本体１は、コンクリートやレンガ、あるいは鉄でつくられている。ブロック本体１の大きさ、形状には特に限定はない。一般的には一辺が数ｍないし十数ｍの直方体、立方体とされる。このブロック本体１には、複数の通水孔４が設けられている。通水孔４は矢印で示すように、海水の上昇流が生じるように縦または斜め（図３参照）に設ける。海水がブロック本体１の下部へ流入するように四隅には脚５が設けられている。
また、ブロック本体１の上部には箱形の凹部６が設けられており、この凹部６の底面には上記通水孔４の上端が開口するとともに、凹部６内に上記肥料溶出体２および定着体３を積載して収容する構成となっている。
【００１３】
海藻類に栄養を供給する肥料溶出体２は、例えば、内部に栄養源の肥料を入れた袋体７からなり、袋体７は栄養分が海水で溶出するように通水性を有するもので構成されている。金網、網状のプラスチック製袋、布袋等が袋体７として使用される。
海藻類の栄養源となる肥料は、ケイ砂、珪藻土、汚泥、および木くずが利用される。ケイ砂はケイ素（Ｓｉ）の供給源であり、下水処理場や水産加工場の汚泥は窒素（Ｎ）、リン（Ｐ）の供給源である。また、木くず（木のチップ、おがくず、木片等）はフミン質（フミン酸、フルボ酸）の供給源である。これらの元素、有機酸は海藻類の生育に欠かせない物質であり、しかもケイ砂、汚泥、および木くずは多量に存在するうえに、上記各栄養源を極少量ずつ長期間にわたって供給することができる。さらに、ケイ砂以外の汚泥、木くずは廃棄物であり、廃棄物処理としても新たな有効利用を図ることができる。
また、汚泥として水産加工場の廃水に含まれる汚泥を利用すると、Ｎ，Ｐのほか、Ｆｅ，Ｚｎ，Ｍｎ等を微量に含んでいるため、これらの微量金属類が海藻類の生育を助ける。
さらに、下水処理場の汚泥や水産加工場の汚泥と木くずとを混ぜることによって、上記の金属イオンをキレート化し、海藻類に取り込みやすい形にする。
また、肥料溶出体２は、ケイ砂、珪藻土、消化汚泥、水産加工廃水汚泥、および木くずなどを原料として作られたブロックまたは粒状固形物としてもよい。
【００１４】
海藻類が根付く定着体３は、海藻類の胞子および／または種子を植え付けた、無筋または鉄筋付きコンクリートくず、礫、岩、砂利、レンガ等からなるものであり、これらの中から一つ以上を選んでブロック本体１上の肥料溶出体２上に載置すればよい。海藻類の胞子および／または種子は本発明の海藻類造成礁１０を最初に布設する際に植え付ければよい。定着体３には海藻類の根が付着しやすい表面粗度を有するものが適している。コンクリートくずやレンガ等の廃材は定着体３として好適なものであり、これらの廃材の有効利用をも図ることができる。
【００１５】
以上のように構成された本海藻類造成礁１０を主に磯枯れ現象が進んだ沿岸域に複数沈設する。沈設場所はその沿岸域の補償深度より浅い所にする。これは、海藻類の光合成を促進させるためである。沈設方法は特に限定されない。海藻類造成礁１０を適当な間隔で置いてもよいし、両側の海藻類造成礁１０にまたがらせて積み上げてもよい。あるいは周辺の岩等を利用して置いてもよい。但し、海流や潮流等によって海藻類造成礁１０が倒壊したりしないよう留意する必要がある。したがって、場合によってはアンカー等で固定することも推奨される。そのために、アンカー用のフックや孔をブロック本体１に別に設けることも適宜採用することができる。
【００１６】
この海藻類造成礁１０では、ブロック本体１の下部に設けられた隙間に海水が流れ込み、各通水孔４を通り上昇流となってブロック本体１の上部へ流出する。通水孔４は浮力を軽減するようなるべく小さい孔が好ましい。ブロック本体１の上部には底面に通水孔４が開口する凹部６が形成されており、この凹部６内に肥料溶出体２が載置され、その上に定着体３が載置されている。したがって、海水は速い速度で凹部６底面から流出し、拡散しながら上方へ流れ出す。そのため、この拡散流が肥料溶出体２に触れ、内蔵されている肥料を極少量ずつ溶出しながら拡散する。これによって、海藻類の発育に欠かせないＳｉ，Ｎ，Ｐ，フミン質、Ｆｅ等を極微量ずつ長期間にわたって拡散し続ける。その結果、栄養条件の悪い磯枯れ領域においても、次第に藻場の造成条件が整うことになる。
【００１７】
定着体３には海藻類の種子および／または胞子が植え付けられているので、栄養条件が改善されると、海藻類が発芽し、根付くことになる。肥料溶出体２からは上述のように栄養源が極微量ずつ溶出拡散し続けているので、海藻類の発育を促す。また、周辺の岩等にも海藻類が生えていき、その結果、海藻類造成礁１０群を起点して海藻類の繁殖域が拡大しいき、藻場が形成される。その後は、海藻類を食するアワビやウニ、サザエ等が集まり、さらには蛸や烏賊、小魚、中型・大型の魚等が集まってくるようになり、磯枯れ現象の沿岸域が良好な磯へと回復することになる。
【００１８】
本発明は、上に述べた形態例のほかに様々な形態例が考えられる。図示は省略するが、以下に述べる形態例も本発明の範囲に含まれる。
（１）肥料溶出体２に含まれるケイ砂または珪藻土の代わりに、廃ガラス、火成岩のうち一つ以上を含むこと。また、ケイ酸溶出を促進させるためには、有機酸が有効で、ケイ酸溶出に効果的な有機酸には酢酸、酪酸、プロピオン酸、クエン酸などがある。したがって、これらの有機酸を肥料溶出体に含ませてもよい。
（２）古釘や針金などの鉄くずを肥料溶出体２に含ませること、あるいはブロック本体１上部の凹部６内に投入すること。
（３）通水孔４をプラスチック、セラミック、鉄等のパイプで構成すること。
【００１９】
【発明の効果】
以上のように、本発明によれば、ブロック本体の通水孔を上昇する海水によって、肥料溶出体に内蔵されている海藻類の生育に必須の栄養源を極少量ずつ長期間にわたって拡散し続けることができる。そのため、肥料溶出体上に載置されている定着体および周辺の岩等に栄養源が行き渡り、磯枯れ現象の沿岸域の栄養条件を改善することができ、本海藻類造成礁群を起点として藻場を造成することができる。
【図面の簡単な説明】
【図１】本発明の実施形態の一例を示す海藻類造成礁の断面図。
【図２】ブロック本体の平面図。
【図３】本発明の他の例を示す海藻類造成礁の断面図。
【符号の説明】
１：ブロック本体、２：肥料溶出体、３：定着体、４：通水孔、５：脚、６：凹部、７：袋体、１０：海藻類造成礁。
【図１】
2004159610.tif 000003
【図２】
2004159610.tif 000004
【図３】
2004159610.tif 000005